(57)【要約】【課題】ベルトに取りつけることにより身体に取りつけることができるカラビナ工具差しを提供する。【解決手段】カラビナ工具差し１０は、工具等を保持する環状取付具１１と、作業者のベルト１２に固定するベルト取付部１３を有するカラビナ工具差し１０であって、環状取付具１１は、周方向の一部の隙間１４と隙間１４に回転可能に取りつけられたゲート１５と、直線部１６を有し、ベルト取付部１３は、片側に開口部１７，１８を有するベルト１２を通す２つのスリット１９，２０と、開口部付近に設けられたベルトがはずれることを防ぐストッパ２１，２２と、ベルト１２を通す２つのスリット１９，２０の間の環状取付具固定部２３を有し、環状取付具１１は、直線部１６でベルト取付部１３の環状取付具固定部２３に固定されている。【選択図】図１
0003215739.tif 000002
【実用新案登録請求の範囲】
【請求項１】
工具等を保持する環状取付具と、作業者のベルトに固定するベルト取付部を有するカラビナ工具差しであって、
前記環状取付具は、周方向の一部の隙間と前記隙間に回転可能に取りつけられたゲートと、直線部を有し、
前記ベルト取付部は、片側に開口部を有するベルトを通す２つのスリットと、前記ベルトを通す２つのスリットの間の環状取付具固定部を有し、
前記環状取付具は、前記直線部で前記ベルト取付部の前記環状取付具固定部に固定されていることを特徴とするカラビナ工具差し。
【請求項２】
工具等を保持する環状取付具と、作業者のベルトに固定するベルト取付部を有するカラビナ工具差しであって、
前記環状取付具は、周方向の一部の隙間と前記隙間に回転可能に取りつけられたゲートと、直線部を有し、
前記ベルト取付部は、前記直線部に取りつけられたベルト固定部からなることを特徴とするカラビナ工具差し。
【請求項３】
工具等を保持する環状取付具と、作業者のベルトに固定するベルト取付部を有するカラビナ工具差しであって、
前記環状取付具は、周方向の一部の隙間と前記隙間に回転可能に取りつけられたゲートと、直線部と、前記直線部の両側に２つの直線状の突出部を有し、
前記ベルト取付部は、ベルトを通す２つのスリットと、前記ベルトを通す２つのスリットの間の環状取付具固定部と、前記環状取付具固定部の両側に直線状の溝を有し、
前記環状取付具は、前記直線部で前記ベルト取付部の前記環状取付具固定部にベルトを通すことによって固定されることを特徴とするカラビナ工具差し。
【請求項４】
工具等を保持する環状取付具と、作業者のベルトに固定するベルト取付部を有するカラビナ工具差しであって、
前記環状取付具は、周方向の一部の隙間と前記隙間に回転可能に取りつけられたゲートと、直線部を有し、
前記ベルト取付部は、蝶番で開閉可能に設けられたベルトを挟む２本の板状部材からなり、前記板状部材には環状取付具固定部を有し、
前記環状取付具は、前記直線部で前記ベルト取付部の前記板状部材の前記環状取付具固定部に固定されることを特徴とするカラビナ工具差し。
【請求項５】
前記環状取付具は、上部に工具等をかけるための突起部を備えたことを特徴とする請求項１〜４のいずれか１項に記載のカラビナ工具差し。
【請求項６】
前記環状取付具は、下部に工具の移動を制限する工具移動制限部を設けたことを特徴とする請求項１〜５のいずれか１項に記載のカラビナ工具差し。
【考案の詳細な説明】
【技術分野】
【０００１】
本考案は、カラビナ工具差しに関し、特に、ベルトに取りつけることにより身体に取りつけることができるカラビナ工具差しに関するものである。
【背景技術】
【０００２】
従来、特許文献１に開示されるようなカラビナがある。カラビナは、略Ｃ字形の本体と、本体の一端にピンによって回動自在に軸支された揺動体と、本体の他端に設けた揺動体のストッパとからなっている。また、カラビナは、揺動体の軸支側と反対側の自由端にストッパと嵌合する開口部を設けると共に、自由端の両側に突起部を設け、揺動体の閉塞時に、開口部がストッパと嵌合しない場合に、突起部がストッパに当接することによって揺動体の回動を規制することを特徴とする。
【０００３】
上記カラビナは、従来より登山用品や荷役作業においてロープを掛ける道具として使用されたり、リュックサックに小物類をつり下げるのに利用されたりしている。
【先行技術文献】
【特許文献】
【０００４】
【特許文献１】特開２０１１−５０６８９号公報
【考案の概要】
【考案が解決しようとする課題】
【０００５】
カラビナは、作業者が工具等をつり下げるためにも使うことができる。しかしながら、特許文献１に記載されたようなカラビナは、特別に身体に取りつけるための部分がないために、身体に取りつけ難いという問題点があった。
【０００６】
そこで、本考案の目的は、ベルトに取りつけることにより身体に取りつけることができるカラビナ工具差しを提供することにある。
【課題を解決するための手段】
【０００７】
本考案に係るカラビナ工具差しは、上記の目的を達成するために、次のように構成される。
【０００８】
カラビナ工具差しは、工具等を保持する環状取付具と、作業者のベルトに固定するベルト取付部を有するカラビナ工具差しであって、環状取付具は、周方向の一部の隙間と隙間に回転可能に取りつけられたゲートと、直線部を有し、ベルト取付部は、片側に開口部を有するベルトを通す２つのスリットと、前記ベルトを通す２つのスリットの間の環状取付具固定部を有し、環状取付具は、直線部でベルト取付部の環状取付具固定部に固定されていることで特徴づけられる。
【０００９】
カラビナ工具差しは、工具等を保持する環状取付具と、作業者のベルトに固定するベルト取付部を有するカラビナ工具差しであって、環状取付具は、周方向の一部の隙間と隙間に回転可能に取りつけられたゲートと、直線部を有し、ベルト取付部は、直線部に取りつけられたベルト固定部からなることで特徴づけられる。
【００１０】
カラビナ工具差しは、工具等を保持する環状取付具と、作業者のベルトに固定するベルト取付部を有するカラビナ工具差しであって、環状取付具は、周方向の一部の隙間と隙間に回転可能に取りつけられたゲートと、直線部と、直線部の両側に２つの直線状の突出部を有し、ベルト取付部は、ベルトを通す２つのスリットと、ベルトを通す２つのスリットの間の環状取付具固定部と、環状取付具固定部の両側に直線状の溝を有し、環状取付具は、直線部でベルト取付部の環状取付具固定部にベルトを通すことによって固定されることで特徴づけられる。
【００１１】
カラビナ工具差しは、工具等を保持する環状取付具と、作業者のベルトに固定するベルト取付部を有するカラビナ工具差しであって、環状取付具は、周方向の一部の隙間と隙間に回転可能に取りつけられたゲートと、直線部を有し、ベルト取付部は、蝶番で開閉可能に設けられたベルトを挟む２本の板状部材からなり、板状部材には環状取付具固定部を有し、環状取付具は、直線部でベルト取付部の板状部材の環状取付具固定部に固定されることで特徴づけられる。
【００１２】
カラビナ工具差しは、好ましくは上記の構成において、環状取付具は、上部に工具等をかけるための突起部を備えたことで特徴づけられる。
【００１３】
カラビナ工具差しは、好ましくは上記の構成において、環状取付具は、下部に工具の移動を制限する工具移動制限部を設けたことで特徴づけられる。
【考案の効果】
【００１４】
本考案によれば、身体のベルトに取りつけるためのベルト取付部を設けたので、ベルト取付部によりベルトに取りつけることにより身体に取りつけることができるカラビナ工具差しを提供することができる。
【図面の簡単な説明】
【００１５】
【図１】本考案の第１実施形態に係るカラビナ工具差しの構造を説明する説明図であり、（ａ）は、カラビナ工具差しの正面図であり、（ｂ）は、カラビナ工具差しの側面図であり、（ｃ）は、カラビナ工具差しをベルトに固定したときの様子を示す図である。
【図２】本考案の第２実施形態に係るカラビナ工具差しの構造を説明する説明図であり、（ａ）は、カラビナ工具差しの斜視図であり、（ｂ）は、カラビナ工具差しをベルトに固定したときの様子を示す図である。
【図３】本考案の第３実施形態に係るカラビナ工具差しの構造を説明する説明図であり、（ａ）は、カラビナ工具差しの斜視図であり、（ｂ）は、カラビナ工具差しをベルトに固定したときの様子を示す図である。
【図４】本考案の第３実施形態に係るカラビナ工具差しを説明する説明図であり、カラビナ工具差しを、ベルト取付部の開口部からベルトを環状取付部を通すことにより、ベルトに取りつけ、環状取付部とベルト取付部を固定するときの様子を示す図である。
【図５】本考案の第４実施形態に係るカラビナ工具差しの構造を説明する説明図であり、（ａ）は、カラビナ工具差しの正面図であり、（ｂ）は、カラビナ工具差しの側面図であり、（ｃ）は、カラビナ工具差しをベルトに固定したときの様子を示す図である。
【図６】本考案の第５実施形態に係るカラビナ工具差しの構造を説明する説明図であり、（ａ）は、カラビナ工具差しに工具を取りつけた状態を示す図であり、（ｂ）は、直線部からの突起部の位置を示す図であり、（ｃ）は、カラビナ工具差しに工具を取りつけた別の状態を示す図である。
【図７】本考案の第６実施形態に係るカラビナ工具差しの構造を説明する説明図であり、（ａ）は、カラビナ工具差しに工具を取りつけていない状態を示し図であり、（ｂ）は、カラビナ工具差しに工具を取りつけた状態を示す図である。
【考案を実施するための形態】
【００１６】
図１は、本考案の第１実施形態に係るカラビナ工具差し１０の構造を説明する説明図である。図１（ａ）は、カラビナ工具差し１０の正面図であり、図１（ｂ）は、カラビナ工具差し１０の側面図であり、図１（ｃ）は、カラビナ工具差し１０をベルトに固定したときの様子を示す図である。
【００１７】
図１（ａ）、図１（ｂ）、図１（ｃ）のように、カラビナ工具差し１０は、工具等を保持する環状取付具１１と、作業者のベルト１２に固定するベルト取付部１３を有している。
【００１８】
環状取付具１１は、周方向の一部の隙間１４と隙間１４に回転可能に取りつけられたゲート１５と、直線部１６を有し、ベルト取付部１３は、片側に開口部１７，１８を有するベルト１２を２つの通すスリット１９，２０と、開口部１７，１８付近に設けられたベルト１２がはずれることを防ぐストッパ２１，２２と、ベルト１２を通す２つのスリット１９，２０の間の環状取付具固定部２３を有し、環状取付具１１は、直線部１６でベルト取付部１３の環状取付具固定部２３に溶接などで固定されている。
【００１９】
ゲート１５は、一端１５ａが環状取付具１１の隙間１４の端部１４ａとピンなどにより回転可能に固定されており、ゲート１５の他端１５ｂは、隙間１４の他端部１４ｂと嵌め合うようになっており、嵌め合いをはずすことにより、ゲート１５を開くことができるようになっている。ゲート１５を開くことにより、レンチやスパナ等の工具に設けられた孔を環状取付具１１に通し、ゲート１５を閉じて隙間１４の他端部１４ｂと嵌め合うことにより、工具等を保持することができる。
【００２０】
図１（ｃ）に示されるように、カラビナ工具差し１０は、ベルト取付部１３の開口部１７，１８からベルト１２をスリット１９，２０にはめ込むことにより、ベルト１２に取りつけることができる。作業者は、開口部１７，１８を設けたことで、ベルト１２を作業者の身体につけた状態のまま、カラビナ工具差し１０をベルト１２に容易に取りつけることができる。
【００２１】
また、開口部１７，１８付近にストッパ２１，２２が設けられているので、カラビナ工具差し１０は、ベルト取付部１３によってベルト１２にしっかりと固定することができる。
【００２２】
このように、第１実施形態によれば、カラビナ工具差し１０は、身体のベルトに取りつけるためのベルト取付部１３を設けたので、ベルト取付部１３によりベルトに取りつけることにより身体に取りつけることができる。
【００２３】
図２は、本考案の第２実施形態に係るカラビナ工具差し３０の構造を説明する説明図である。図２（ａ）は、カラビナ工具差し３０の斜視図であり、図２（ｂ）は、カラビナ工具差し３０をベルトに固定したときの様子を示す図である。
【００２４】
図２（ａ）、図２（ｂ）のように、カラビナ工具差し３０は、工具等を保持する環状取付具３１と、作業者のベルト３２に固定するベルト取付部３３を有している。
【００２５】
環状取付具３１は、周方向の一部の隙間３４と隙間３４にピン３４ｐなどにより回転可能に取りつけられたゲート３５と、直線部３６を有し、ベルト取付部３３は、直線部３６に取りつけられたベルト固定部３７からなる。
【００２６】
ベルト取付部３３は、ベルト固定部３７が環状取付具３１の直線部３６でピン３８などで固定されている。
【００２７】
ゲート３５は、一端３５ａが環状取付具３１の隙間３４の端部３４ａとピンなどにより回転可能に固定されており、ゲート３５の他端３５ｂは、隙間３４の他端部３４ｂと嵌め合うようになっており、嵌め合いをはずすことにより、ゲート３５を開くことができるようになっている。ゲート３５を開くことにより、レンチやスパナ等の工具に設けられた孔を環状取付具３１に通し、ゲート３５を閉じて隙間３４の他端部３４ｂと嵌め合うことにより、工具等を保持することができる。
【００２８】
図２（ｂ）に示されるように、カラビナ工具差し３０は、ベルト取付部３３の開口部３９からベルト３２を直線部３６とベルト固定部３７の間にはめ込むことにより、ベルト３２に取りつけることができる。上記ベルト取付部３３を設けたことで、作業者は、カラビナ工具差し３０をベルト３２に容易に取りつけることができる。
【００２９】
このように、第２実施形態によれば、カラビナ工具差し３０は、身体のベルト３２に取りつけるためのベルト取付部３３を設けたので、ベルト取付部３３によりベルト３２に取りつけることにより身体に取りつけることができる。
【００３０】
図３は、本考案の第３実施形態に係るカラビナ工具差し４０の構造を説明する説明図である。図３（ａ）は、カラビナ工具差し４０の斜視図であり、図３（ｂ）は、カラビナ工具差し４０をベルトに固定したときの様子を示す図である。
【００３１】
図３（ａ）、図３（ｂ）のように、カラビナ工具差し４０は、工具等を保持する環状取付具４１と、作業者のベルト４２に固定するベルト取付部４３を有している。
【００３２】
環状取付具４１は、周方向の一部の隙間４４と隙間４４にピン４４ｐなどにより回転可能に取りつけられたゲート４５と、直線部４６と、直線部４６に３つの直線状の突出部４６ａ，４６ｂ，４６ｃを有している。また、ベルト取付部４３は、２つのベルトを通すスリット４９，５０と、ベルトを通す２つのスリット４９，５０の間の環状取付具固定部５１と、環状取付具固定部５１の中央に直線状の溝５２を有している。
【００３３】
環状取付具４１は、直線部４６でベルト取付部４３の環状取付具固定部５１にベルト４２を通すことによって固定される。
【００３４】
ゲート４５は、一端４５ａが環状取付具４１の隙間４４の端部４４ａとピンなどにより回転可能に固定されており、ゲート４５の他端４５ｂは、隙間４４の他端部４４ｂと嵌め合うようになっており、嵌め合いをはずすことにより、ゲート４５を開くことができるようになっている。ゲート４５を開くことにより、レンチやスパナ等の工具に設けられた孔を環状取付具４１に通し、ゲート４５を閉じて隙間４４の他端部４４ｂと嵌め合うことにより、工具等を保持することができる。
【００３５】
図３（ｂ）に示されるように、カラビナ工具差し４０は、ベルト取付部４３の開口部４９，５０からベルト４２を環状取付部４６を通すことにより、ベルト４２に取りつけるとともに、環状取付部４６とベルト取付部４３を固定することができる。
【００３６】
図４は、カラビナ工具差し４０を、ベルト取付部４３の開口部４９，５０からベルト４２を環状取付部４６を通すことにより、ベルト４２に取りつけ、環状取付部４６とベルト取付部４３を固定するときの様子を示す図である。図４（ａ）は、直線部４６に３つの直線状の突出部４６ａ，４６ｂ，４６ｃのうち、突出部４６ｃが直線状の溝５２に嵌るように環状取付具４１を固定した状態を示している。また、図４（ｂ）は、直線状の突出部４６ａ，４６ｂ，４６ｃのうち、突出部４６ｂが直線状の溝５２に嵌るように環状取付具４１を固定した状態を示す。このように溝５２に嵌める突出部４６ａ，４６ｂ，４６ｃの１つを選択することによって、環状取付具４１の固定状態を変えることができる。
【００３７】
このように、第３実施形態によれば、カラビナ工具差し４０は、身体のベルトに取りつけるためのベルト取付部４３を設けたので、ベルト取付部４３によりベルトに取りつけることにより身体に取りつけることができる。
【００３８】
図５は、本考案の第４実施形態に係るカラビナ工具差し６０の構造を説明する説明図である。図５（ａ）は、カラビナ工具差し６０の正面図であり、図６（ｂ）は、カラビナ工具差し６０の側面図であり、図５（ｃ）は、カラビナ工具差し６０をベルトに固定したときの様子を示す図である。
【００３９】
図５（ａ）、図５（ｂ）、図５（ｃ）のように、カラビナ工具差し６０は、工具等を保持する環状取付具６１と、作業者のベルト６２に固定するベルト取付部６３を有している。
【００４０】
環状取付具６１は、周方向の一部の隙間６４と隙間６４にピンなどにより回転可能に取りつけられたゲート６５と、直線部６６を有している。ベルト取付部６３は、固定具６７で板状部材６９に固定された弾性部材６８からなり、板状部材６９には環状取付具固定部７０を有している。環状取付具６１は、直線部６６でベルト取付部６３の板状部材６９の環状取付具固定部７０に溶接などで固定される。
【００４１】
ゲート６５は、一端６５ａが環状取付具６１の隙間６４の端部６４ａとピン６４ｐなどにより回転可能に固定されており、ゲート６５の他端６５ｂは、隙間６４の他端部６４ｂと嵌め合うようになっており、嵌め合いをはずすことにより、ゲート６５を開くことができるようになっている。ゲート６５を開くことにより、レンチやスパナ等の工具に設けられた孔を環状取付具６１に通し、ゲート６５を閉じて隙間６４の他端部６４ｂと嵌め合うことにより、工具等を保持することができる。
【００４２】
図５（ｃ）に示されるように、カラビナ工具差し６０は、ベルト取付部６３のベルト挿入部７１からベルト６２を弾性部材６８と板状部材６９の間に挿入し、はめ込むことにより、ベルト６２に取りつけることができる。作業者は、ベルト挿入部７１を設けたことで、ベルト６２を作業者の身体につけた状態のまま、カラビナ工具差し６０をベルト６２に容易に取りつけることができる。
【００４３】
また、ベルト挿入部７１にストッパ７２が設けられているので、カラビナ工具差し６０は、ベルト取付部６３によってベルト６２にしっかりと固定することができる。
【００４４】
このように、第４実施形態によれば、カラビナ工具差し６０は、身体のベルトに取りつけるためのベルト取付部６３を設けたので、ベルト取付部６３によりベルトに取りつけることにより身体に取りつけることができる。
【００４５】
図６は、本考案の第５実施形態に係るカラビナ工具差し８０の構造を説明する説明図である。図６（ａ）は、カラビナ工具差し８０に工具８１，８２を取りつけた状態を示し、図６（ｂ）は、直線部からの突起部８４の位置を示す図である。図６（ｃ）は、カラビナ工具差し８０に工具を取りつけた別の状態を示す。
【００４６】
第５実施形態に係るカラビナ工具差し８０は、図６（ａ）、図６（ｂ）、図６（ｃ）のように、第１〜第４実施形態に係るカラビナ工具差しにおいて、環状取付具８３は、上部に工具等をかけるための突起部８４を備えた。突起部８４を備えたこと以外は、他の実施形態のカラビナ工具差しと同様の構造を有するので突出部８４の説明以外は、省略する。
【００４７】
図６（ｂ）に示されるように、直線部から突起部までの距離ｂは、工具８１や８２の幅ａよりも大きくなるようにしている。それにより、工具は直線部と突起部８４の間に納めることができる。カラビナ工具差し８０では、環状取付具８３に突起部８４を備えるので、図６（ｃ）に示されるように、２つの工具８１，８２のうち、一つの工具、例えば工具８２を上部に取りつけることができる。それにより、２つの工具の位置を分けてカラビナ工具差し８０に取りつけることができ、工具を利用するときにより使いやすくなる。
【００４８】
図７は、本考案の第６実施形態に係るカラビナ工具差し９０の構造を説明する説明図である。図７（ａ）は、カラビナ工具差し９０に工具を取りつけていない状態を示し、図７（ｂ）は、カラビナ工具差し９０に工具９１を取りつけた状態を示す。
【００４９】
第６実施形態に係るカラビナ工具差し９０は、図７（ａ）、図７（ｂ）のように、第１〜第５実施形態に係るカラビナ工具差しにおいて、環状取付具９２は、下部に工具の移動を制限する工具移動制限部９３を設けた。工具移動制限部９３を設けたこと以外は、他の実施形態のカラビナ工具差しと同様の構造を有するので工具移動制限部９３の説明以外は、省略する。
【００５０】
カラビナ工具差し９０では、環状取付具９２に工具移動制限部９３を設けたので、図７（ｂ）に示されるように、工具９１の移動を制限することができる。それにより、工具の位置が変わることなくカラビナ工具差し８０に取りつけることができ、工具を利用するときにより使いやすくなる。
【００５１】
以上の実施形態で説明された構成、形状、大きさおよび配置関係については本考案が理解・実施できる程度に概略的に示したものにすぎず、また数値および各構成の組成（材質）等については例示にすぎない。従って本考案は、説明された実施形態に限定されるものではなく、実用新案登録請求の範囲に示される技術的思想の範囲を逸脱しない限り様々な形態に変更することができる。
【産業上の利用可能性】
【００５２】
本考案のカラビナ工具差しは、ベルトに取りつけることにより身体に取りつけることができるカラビナ工具差しとして利用することができる。
【符号の説明】
【００５３】
１０      カラビナ工具差し
１１      環状取付具
１２      ベルト
１３      ベルト取付部
１４      隙間
１５      ゲート
１６      直線部
１７      開口部
１８      開口部
１９      スリット
２０      スリット
２１      ストッパ
２２      ストッパ
２３      環状取付具固定部
【図１】
0003215739.tif 000003
【図２】
0003215739.tif 000004
【図３】
0003215739.tif 000005
【図４】
0003215739.tif 000006
【図５】
0003215739.tif 000007
【図６】
0003215739.tif 000008
【図７】
0003215739.tif 000009